(57)【要約】【課題】  メール配信通知の送信から送信先携帯端末に対する蓄積メールの送信までの時間を短縮させたメール通信システム及び携帯通信端末を提供する。【解決手段】  電子メールを送信する送信元端末２と、送信メールを蓄積し、メール配信通知を送信するメールサーバー５と、無線通信回線を介してメール配信通知を受信し、メールサーバー５に対して配信応答を送信する送信先端末７とからなり、メールサーバー５が、メール配信通知の送信時からの経過時間を計測する経過時間計測部２３と、配信応答を受信する入出力インターフェース２１と、所定の上記経過時間内における配信応答の受信結果に基づいてメール配信通知の配信が成功したか否かを判別する配信状況監視部２４と、メール配信通知の配信が成功するまではメール配信通知を繰り返して送信し、メール配信通知の配信に成功した送信先端末７に対して蓄積メールを送信するメール配信制御部２５により構成される。【選択図】  図３
2006135676.tif 000002
【特許請求の範囲】
【請求項１】
電子メールを送信する送信元端末と、送信元端末からの電子メールを蓄積し、メール配信通知を送信するメールサーバーと、無線通信回線を介してメールサーバーからのメール配信通知を受信し、当該メールサーバーに対して配信応答を送信する送信先携帯端末とからなり、
上記メールサーバーは、メール配信通知の送信時からの経過時間を計測する経過時間計測手段と、
送信先携帯端末からの配信応答を受信する配信応答受信手段と、
所定の上記経過時間内における配信応答の受信結果に基づいてメール配信通知の配信が成功したか否かを判別する配信状況監視手段と、
メール配信通知の配信が成功するまではメール配信通知を繰り返して送信し、メール配信通知の配信に成功した送信先携帯端末に対して電子メールを送信するメール配信制御手段とを備えたことを特徴とするメール通信システム。
【請求項２】
上記送信元端末は、ユーザの操作入力に基づいて有効化される配信指定フラグをヘッダ情報として含む電子メールを生成するメール生成手段を備え、
上記メール配信制御手段は、電子メールのヘッダ情報を解読し、上記配信指定フラグが有効化された電子メールの送信先携帯端末に対してメール配信通知の送信を繰り返すことを特徴とする請求項１に記載のメール通信システム。
【請求項３】
上記メールサーバーは、メール配信通知の配信に成功した送信先携帯端末に対する電子メールの送信に基づいて配信完了通知を生成し、送信元端末に対して送信する配信通知制御手段を備え、
上記送信元端末は、メールサーバーからの配信完了通知に基づいて電子メールの配信結果を画面表示する配信状況表示手段を備えたことを特徴とする請求項１に記載のメール通信システム。
【請求項４】
メール配信通知を送信するメールサーバーにメール配信通知を繰り返し送信させるフラグであって、ユーザによる操作入力に基づいて有効化される配信指定フラグをヘッダ情報として含む電子メールを生成するメール生成手段と、
無線通信回線を介して上記電子メールを送信するメール送信手段と、
上記電子メールに基づいて送信先携帯端末へメール配信通知を送信するメールサーバーからの配信完了通知に基づいて、電子メールの配信結果を画面表示する配信状況表示手段とを備えたことを特徴とする携帯通信端末。
【発明の詳細な説明】
【技術分野】
【０００１】
本発明は、メール通信システム及び携帯通信端末に係り、さらに詳しくは、送信元端末からの電子メールに基づいて送信先携帯端末へメール配信通知を送信するメールサーバーからなるメール通信システムの改良に関する。
【背景技術】
【０００２】
近年、携帯電話機などの携帯通信端末では、文字情報の他に写真などの画像データが添付された電子メールを送受信する機能を有するものが普及している。その様な携帯通信端末により送信された電子メールは、無線通信回線を介して基地局に伝送され、さらに基地局に通信ネットワークを介して接続されたメールサーバーに伝送され、サーバー内に一旦蓄積される。メールサーバーは、電子メールを蓄積するとともに、電子メールのヘッダ情報に従って送信先へメール配信通知を送信する動作を行っている。メール配信通知は、送信先となる携帯通信端末（以下、送信先端末という）に電子メールの蓄積を通知するための制御信号であり、送信先端末をサービスエリア内に含む基地局を介し、当該送信先端末に伝送される。
【０００３】
送信先端末は、無線通信回線を介してメールサーバーからのメール配信通知を受信すると、電子メールの配信を要求する配信応答を当該メールサーバーに対して送信する。メールサーバーでは、この配信応答に基づいて送信先端末に対する電子メールの送信が行われる。
【０００４】
なお、送信元端末からの電子メールを送信先端末へ送信するメールサーバーからなるメール通信システムについては、例えば、特許文献１に記載されている。特許文献１に記載のメール通信システムは、メールサーバーが送信先端末に対する電子メールの送信完了時に、送信元端末に対してメール配信の完了通知を行うものである。
【特許文献１】特開２００３−２８３５６６号公報
【発明の開示】
【発明が解決しようとする課題】
【０００５】
上述した様な従来のメール通信システムにおいて、メール配信通知の送信時から所定時間内に配信応答が得られなかった場合、メールサーバーは、同一の送信先端末に対して送信された他の電子メールに係るメール配信通知に基づく配信応答が得られるまで電子メールを送信しない。このため、送信元端末からの電子メールがメールサーバー内に蓄積され、当該電子メールに関するメール配信通知が送信されたときから、送信先端末に対して電子メールが送信されるまでにタイムラグが生じる場合があるという問題があった。つまり、電波の受信状態が良くないか、或いは、電源がオフされているために、送信先端末がメールサーバーからのメール配信通知を受信できないような場合には、配信応答が送信されないので、メールサーバーは、電子メールの送信を行わないことになる。従って、その後、電波の受信状態が良くなるか、或いは、電源がオンされても直ちにメール配信通知が受信されるわけではないので、送信先端末が実際に電子メールを受信するまでにタイムラグが生じてしまう。
【０００６】
本発明は、上記事情に鑑みてなされたものであり、送信元端末からの電子メールに係るメール配信通知の送信時から所定時間内に送信先端末から配信応答が得られなかった場合に、当該メール配信通知が送信されたときから送信先端末に対して電子メールが送信されるまでの時間を短縮させたメール通信システム及び携帯通信端末を提供することを目的としている。特に、送信元端末のユーザが必要に応じてメール配信に要する時間を短縮化させることができるメール通信システムを提供することを目的としている。
【課題を解決するための手段】
【０００７】
本発明によるメール通信システムは、電子メールを送信する送信元端末と、送信元端末からの電子メールを蓄積し、メール配信通知を送信するメールサーバーと、無線通信回線を介してメールサーバーからのメール配信通知を受信し、当該メールサーバーに対して配信応答を送信する送信先携帯端末とからなり、上記メールサーバーが、メール配信通知の送信時からの経過時間を計測する経過時間計測手段と、送信先携帯端末からの配信応答を受信する配信応答受信手段と、所定の上記経過時間内における配信応答の受信結果に基づいてメール配信通知の配信が成功したか否かを判別する配信状況監視手段と、メール配信通知の配信が成功するまではメール配信通知を繰り返して送信し、メール配信通知の配信に成功した送信先携帯端末に対して電子メールを送信するメール配信制御手段とを備えて構成される。
【０００８】
この様な構成によれば、メールサーバーは、送信先携帯端末に対しメール配信通知の配信が成功するまではメール配信通知を繰り返して送信する。その際、メール配信通知の送信時から所定の経過時間内における配信応答の受信結果からメール配信通知の配信が成功したか否かが判別され、メール配信通知の配信に成功した送信先携帯端末に対して電子メールが送信される。これにより、送信元端末からの電子メールに係るメール配信通知の送信時から上記経過時間内に送信先携帯端末から配信応答が得られず、メール配信通知の配信が失敗した場合には、再度、メール配信通知が送信され、このメール配信通知の自動再送信が配信に成功するまで繰り返されるので、最初のメール配信通知が送信されたときから送信先携帯端末に対して電子メールが送信されるまでの時間を短縮することができる。
【０００９】
本発明によるメール通信システムは、上記構成に加え、上記送信元端末が、ユーザの操作入力に基づいて有効化される配信指定フラグをヘッダ情報として含む電子メールを生成するメール生成手段を備え、上記メール配信制御手段が、電子メールのヘッダ情報を解読し、上記配信指定フラグが有効化された電子メールの送信先携帯端末に対してメール配信通知の送信を繰り返すように構成される。この様な構成によれば、メールサーバーは、ヘッダ情報に含まれる配信指定フラグが有効化された電子メールの送信先携帯端末に対してメール配信通知の送信を繰り返す。その際、送信元端末において生成される電子メールにヘッダ情報として含まれる配信指定フラグは、ユーザによる操作入力に基づいて有効化されるので、送信元端末のユーザは、必要に応じてメール配信に要する時間を短縮化させることができる。また、配信指定フラグが有効化された電子メールについてのみメール配信通知の送信を繰り返すことにより、全ての電子メールについてメール配信通知の送信が繰り返される場合に比べて、メールサーバーにおける処理負荷を軽減することができる。
【００１０】
また、本発明によるメール通信システムは、上記構成に加え、上記メールサーバーが、メール配信通知の配信に成功した送信先携帯端末に対する電子メールの送信に基づいて配信完了通知を生成し、送信元端末に対して送信する配信通知制御手段を備え、上記送信元端末が、メールサーバーからの配信完了通知に基づいて電子メールの配信結果を画面表示する配信状況表示手段を備えて構成される。この様な構成によれば、メール配信通知の配信が成功すると、メールサーバーにより配信完了通知が送信され、送信元端末では、メールサーバーからの配信完了通知に基づいて電子メールの配信結果が画面表示される。これにより、送信元端末のユーザは、電子メールがメールサーバーから送信先携帯端末へ配信されたことをリアルタイムに認知することができる。
【００１１】
本発明による携帯通信端末は、メール配信通知を送信するメールサーバーにメール配信通知を繰り返し送信させるフラグであって、ユーザによる操作入力に基づいて有効化される配信指定フラグをヘッダ情報として含む電子メールを生成するメール生成手段と、無線通信回線を介して上記電子メールを送信するメール送信手段と、上記電子メールに基づいて送信先携帯端末へメール配信通知を送信するメールサーバーからの配信完了通知に基づいて、電子メールの配信結果を画面表示する配信状況表示手段とを備えて構成される。
【発明の効果】
【００１２】
本発明によるメール通信システム及び携帯通信端末によれば、メール配信通知の配信が成功したか否かが判別され、メール配信通知の送信が配信に成功するまで繰り返されるので、最初のメール配信通知が送信されたときから送信先携帯端末に対して電子メールが送信されるまでの時間を短縮することができる。また、ユーザによる操作入力に基づいて有効化される配信指定フラグが有効化された電子メールの送信先携帯端末に対してメール配信通知の送信が繰り返されるので、送信元端末のユーザは、必要に応じてメール配信に要する時間を短縮化させることができる。
【発明を実施するための最良の形態】
【００１３】
実施の形態１．
図１は、本発明の実施の形態１によるメール通信システムの概略構成の一例を示した図である。本実施の形態によるメール通信システム１は、電子メールを送信する送信元端末２と、電子メールの伝送を中継する基地局３及び６と、基地局３及び６を接続する通信ネットワーク４と、通信ネットワーク４に接続されたメールサーバー５と、送信元端末２からの電子メールを受信する送信先端末７と、ロケーションサーバー８からなる。
【００１４】
送信元端末２及び送信先端末７は、いずれも折り畳み式携帯電話機などの携帯可能な小型の通信端末であり、それぞれ無線通信回線を介して電子メールなどの通信データの送受信を行っている。基地局３は、送信元端末２を無線サービスエリア内に含む通信データの中継局であり、通信ネットワーク４を介して通信データを伝送している。通信ネットワーク４は、通信データを伝送する通信回線網であり、通信事業者ごとに設けられる回線網や電話回線網、インターネットなどを含んでいる。ロケーションサーバー８は、携帯通信端末の位置情報を管理するサーバーであり、各携帯通信端末が存在している基地局の無線サービスエリアを記憶している。
【００１５】
メールサーバー５は、送信元端末２からの電子メールを蓄積し、送信先端末７へメール配信通知を送信する動作を行っている。メールサーバー５は、メール配信通知を送信する際、ロケーションサーバー８に送信先端末７の位置情報を照会し、当該送信先端末７を無線サービスエリア内に含む基地局６を特定している。
【００１６】
メール配信通知は、送信元端末２により送信された電子メール（以下、送信メールという）がサーバー内に蓄積されていることを送信先端末７に通知するための制御信号である。送信先端末７は、このメール配信通知を受信すると、メールサーバー５に対して配信応答を送信する。そこで、メールサーバー５は、送信先端末７からの配信応答に基づいて送信先端末７における電波の受信状態の判別を行っている。つまり、メールサーバー５は、送信先端末７からの配信応答に基づいて、当該送信先端末７が電子メールを受信可能であるか否かを識別することができる。
【００１７】
メールサーバー５により送信されたメール配信通知は、送信先端末７を無線サービスエリア内に含む基地局６に伝送され、この基地局６から無線により当該送信先端末７へ向けて送信される。送信先端末７は、メールサーバー５からのメール配信通知を受信し、受信結果に基づいて当該メールサーバー５へ配信応答を送信する動作を行っている。つまり、メール配信通知が受信すると、送信先端末７により直ちに配信応答が送信され、サーバー内に蓄積された送信メール（以下、蓄積メールという）は、配信応答の受信に基づいてメールサーバー５により送信先端末７へ送信される。
【００１８】
本実施の形態では、メール配信通知の配信が成功するまではメールサーバー５によりメール配信通知が自動的に繰り返して送信される。特に、ヘッダ情報として送信メールに含まれる配信指定フラグが有効化された蓄積メールの送信先に対してメール配信通知の送信が繰り返される。
【００１９】
図２は、図１のメール通信システムにおける要部詳細の一例を示したブロック図であり、電子メールなどの通信データの送受信を行う送信元端末２及び送信先端末７の機能構成が示されている。この携帯通信端末は、無線通信部１１、主制御部１２、メール生成部１３、配信指定フラグ制御部１４、表示部１５、操作入力部１６及びメモリ１７からなる。
【００２０】
無線通信部１１は、アンテナを介して通信データを送受信する処理を行っている。メール生成部１３は、ユーザの操作入力によって電子メールを生成する動作を行っている。生成された電子メールは、表示部１５へ出力され、表示画面上に表示される。この電子メールは、ヘッダ情報及びメール本文から構成されるフォーマットを有している。
【００２１】
メール本文には、ユーザにより作成されたメッセージが格納され、ヘッダ情報には、電子メールの伝送に関するデータ（以下、メールデータという）が格納される。メールデータとしては、送信先を特定するためのＩＰ（Internet Protocol）アドレス（送信先アドレス）や、送信元を特定するためのＩＰアドレス（送信元アドレス）、配信指定フラグなどが格納される。
【００２２】
配信指定フラグ制御部１４は、ユーザによる操作入力に基づいて電子メールの配信指定フラグを有効化する制御を行っている。配信指定フラグは、メールサーバー５にメール配信通知を繰り返し送信させるための制御コードであり、ユーザの操作入力によって有効化することができる。つまり、ユーザは、必要に応じて配信指定フラグを有効化することにより、特定の送信メールに係るメール配信通知の送信をメールサーバー５に繰り返させることができる。
【００２３】
この様な配信指定フラグとしては、例えば、有効化されると、「１」が格納され、有効化されていない状態（以下、無効化状態という）では、「０」が格納される。ここで、デフォルト状態では、配信指定フラグは無効化状態となっているものとし、「０」が格納されているものとする。
【００２４】
メール生成部１３により生成された電子メールは、ユーザの操作入力により、無線通信部１１を介して送信されるとともに、メモリ１７内に格納される。なお、無線通信部１１は、無線通信回線を介してメールサーバー５からメール配信通知を受信すると、受信結果に基づいて配信応答を生成し、当該メールサーバー５に対して送信する動作を行う。
【００２５】
図３は、図１のメール通信システムにおける要部詳細の一例を示したブロック図であり、送信元端末２からの送信メールを蓄積し、送信先端末７に対してメール配信通知の送信を行うメールサーバー５の機能構成が示されている。このメールサーバー５は、入出力インターフェース２１、主制御部２２、経過時間計測部２３、配信状況監視部２４、メール配信制御部２５、メール配信通知生成部２６、ヘッダ情報抽出部２７及びメール記憶部２８からなる。
【００２６】
入出力インターフェース２１は、通信データの入出力制御を行う通信ポートであり、通信ネットワーク４に接続されている。メール配信制御部２５は、送信メールの配信に関する制御を行っている。送信元端末２から入出力インターフェース２１を介して受信した送信メールは、メール配信制御部２５により、一旦、メール記憶部２８内に格納される。ヘッダ情報抽出部２７は、メール記憶部２８に蓄積された送信メール（蓄積メール）からヘッダ情報を抽出する動作を行っている。
【００２７】
メール配信制御部２５は、抽出されたヘッダ情報を解読し、配信指定フラグに基づいてメール配信通知の送信動作を行う。メール配信通知生成部２６は、メール配信制御部２５からの指示によりメール配信通知を生成する動作を行っている。生成されたメール配信通知は、入出力インターフェース２１を介して送信先端末７に対して送信される。
【００２８】
経過時間計測部２３は、メール配信通知の送信時からの経過時間を計測するタイマーであり、計測結果は配信状況監視部２４へ出力される。配信状況監視部２４は、入出力インターフェース２１を介して送信先端末７から受信する配信応答に基づいて、メール配信通知の配信状況の監視を行っている。すなわち、所定の上記経過時間内における配信応答の受信結果に基づいて、メール配信通知の配信が成功したか否かを判別する動作が行われる。
【００２９】
例えば、メール配信通知の送信後から一定時間（以下、応答経過時間Ｔ１とする）内に送信先からの配信応答があれば、メール配信通知の配信は成功したものとみなされ、応答経過時間Ｔ１が経過しても配信応答がなければ、メール配信通知の配信は失敗したものとみなされる。ここで、上記応答経過時間Ｔ１は、メールサーバー５及び送信先端末７間を通信データが伝送するのに要する伝送時間、送信先端末７が配信応答を送信するまでに要する応答時間から定められるものとする。
【００３０】
メール配信制御部２５は、配信指定フラグが有効化された蓄積メールの送信先端末７に対し、メール配信通知の配信が成功するまでメール配信通知の送信を一定周期で繰り返す動作を行う。すなわち、メール配信通知の配信に失敗すると、再度、メール配信通知が送信され、メール配信通知の配信に成功すると、直ちに蓄積メールが送信される。
【００３１】
これにより、送信元端末２からの送信メールに係るメール配信通知の送信時から一定時間Ｔ１内に送信先端末７から配信応答が得られず、メール配信通知の配信に失敗した場合には、再度、メール配信通知が送信され、このメール配信通知の自動再送信が配信に成功するまで繰り返される。従って、最初のメール配信通知が送信されたときから送信先端末７に対して蓄積メールが送信されるまでの時間を短縮することができる。
【００３２】
ここで、配信指定フラグが有効化されていない蓄積メールについては、再度のメール配信通知の送信は行われず、従来と同様に、同一の送信先端末に対して送信された他の蓄積メールに係るメール配信通知に基づく配信応答が得られるまで蓄積メールは送信されないものとする。これにより、配信指定フラグが有効化された蓄積メールについてのみメール配信通知の送信を繰り返すので、全ての蓄積メールについてメール配信通知の送信が繰り返される場合に比べて、メールサーバー５における処理負荷を軽減することができる。
【００３３】
また、メール配信制御部２５は、一定期間が経過しても配信に成功しなければ、メール配信通知の再送信を終了するものとする。すなわち、最初のメール配信通知の送信から所定回数（以下、配信通知繰り返し回数Ｎという）分送信を繰り返すか、或いは、当該メール配信通知の送信後から一定時間（以下、配信通知繰り返し期間Ｔ２（Ｔ２>Ｔ１）という）が経過すれば、メール配信通知の再送信を終了する。
【００３４】
この様にメール配信通知の再送信に制限を設けることにより、メール配信通知の再送信によってトラフィックが過剰に増大するのを抑制することができる。なお、配信通知繰り返し回数Ｎ及び配信通知繰り返し期間Ｔ２は、メールサーバー５にメール配信情報として予め保持されているか、或いは、ヘッダ情報として送信メールに含まれているものとする。特に、送信メールにヘッダ情報の一部として配信通知繰り返し回数Ｎや配信通知繰り返し期間Ｔ２を含ませる場合には、送信元端末２のユーザによる操作入力によって、メール配信通知の送信を繰り返す期間を容易に変更することができる。なお、ヘッダ情報の一部として送信メールに配信通知繰り返し回数Ｎや配信通知繰り返し期間Ｔ２などのメール配信情報を含めさせる場合、配信指定フラグが有効化されているときのみ、ユーザの操作入力によってメール配信情報の指定が可能であるものとする。
【００３５】
図４は、図２の携帯通信端末により生成される電子メールのフォーマットの一例を示した図である。この電子メール３０は、ヘッダ及びメール本文３４からなり、ヘッダには、各種ヘッダ情報が格納されている。
【００３６】
ヘッダ情報としては、送信先を特定するための送信先アドレス３１や、送信元を特定するための送信元アドレス３２、配信指定フラグ３３がこの順序で格納されている。
【００３７】
図５のステップＳ１０１〜Ｓ１０７は、図１のメール通信システムにおけるメール配信動作の一例を示したシーケンス図であり、配信指定フラグ３３が有効化された送信メールが配信される様子が示されている。まず、送信元端末２は、ユーザの操作入力に基づいて送信メールを送信する（ステップＳ１０１）。
【００３８】
次に、メールサーバー５は、送信元端末２からの送信メールを受信すると、当該送信メールをメール記憶部２８内に格納するとともに、ヘッダ情報を抽出し、配信指定フラグ３３を解読する（ステップＳ１０２）。このとき、メールサーバー５は、配信指定フラグ３３が有効化されていれば、繰り返し配信通知モードとなり、送信先端末７からの配信応答が受信するまで、メール配信通知を一定周期で繰り返し送信する（ステップＳ１０３）。
【００３９】
送信先端末７では、電波の受信状態が良くないか、或いは、電源がオフされていると、メールサーバー５との接続が不可となり（ステップＳ１０５）、この接続不可状態が継続している期間中はメール配信通知を受信できない。従って、この期間中は、配信応答は送信されないことになる。
【００４０】
送信先端末７は、メールサーバー５との接続が可能な状態に回復し（ステップＳ１０６）、当該メールサーバー５からのメール配信通知を受信すると、直ちに配信応答を送信する（ステップＳ１０７）。
【００４１】
メールサーバー５は、送信先端末７からの配信応答を受信すると、当該送信先端末７に対して蓄積メールを送信し（ステップＳ１０４）、このメール配信動作を終了する。
【００４２】
本実施の形態によれば、メール配信通知の配信が成功したか否かが判別され、メール配信通知の送信が配信に成功するまで繰り返されるので、最初のメール配信通知が送信されたときから送信先端末７に対して蓄積メールが送信されるまでの時間を短縮することができる。また、ユーザによる操作入力に基づいて有効化される配信指定フラグ３３が有効化された送信メールの送信先に対してメール配信通知の送信が繰り返されるので、送信元端末２のユーザは、必要に応じてメール配信に要する時間を短縮化させることができる。
【００４３】
実施の形態２．
実施の形態１では、メール配信通知の送信を繰り返し、送信先からの配信応答に基づいて蓄積メールが送信される場合の例について説明した。これに対し、本実施の形態では、蓄積メールの送信に基づいて配信完了通知を送信元へ送信する場合について説明する。
【００４４】
図６は、本発明の実施の形態２によるメール通信システムの要部詳細の一例を示したブロック図であり、蓄積メールの送信に基づいて送信元端末２に対して配信完了通知を送信するメールサーバー５ａの構成が示されている。本実施の形態によるメールサーバー５ａは、図３のメールサーバー５（実施の形態１）と比較すれば、配信完了通知制御部２９を備えている点で異なる。
【００４５】
配信完了通知制御部２９は、送信元端末２に対して配信完了通知を送信する制御を行っている。この配信完了通知は、送信先端末７への蓄積メールの送信を送信元に通知するための制御信号であり、メール配信通知の配信に成功した送信先端末７に対する蓄積メールの送信に基づいて生成される。例えば、配信完了通知は、蓄積メールの送信完了後、直ちに送信される。
【００４６】
送信元端末２では、送信メールの送信完了時に、当該送信メールに関してメール配信中の表示が行われ、その後、メールサーバー５ａから配信完了通知が受信すると、メール配信結果が表示される。ここで、メール配信中の表示は、メールサーバー５ａからの配信完了通知が受信するまで継続的に行われるものとし、配信完了通知が受信すると、配信完了の表示に切り替わるものとする。また、配信完了通知及びメール配信中の表示は、配信指定フラグ３３が有効化された送信メールについてのみ行われるものとする。
【００４７】
これにより、送信元端末２のユーザは、送信メールがメールサーバー５ａから送信先へ配信されたことをリアルタイムに認知することができる。また、配信指定フラグが有効化された蓄積メールについてのみ配信完了通知を送信するので、全ての蓄積メールについて配信完了通知を送信する場合に比べて、メールサーバー５ａにおける処理負荷を軽減することができる。
【００４８】
図７のステップＳ１０１〜Ｓ１０７及びＳ２０１〜Ｓ２０３は、図６のメール通信システムにおけるメール配信動作の一例を示したシーケンス図であり、配信指定フラグ３３が有効化された送信メールの配信完了時に配信完了の表示が行われる様子が示されている。なお、ステップＳ１０１からステップＳ１０７までの処理手順は、図５のステップＳ１０１からステップＳ１０７までと同様である。
【００４９】
送信元端末２は、送信メールの送信完了時に、メール配信中の表示を行う（ステップＳ２０１）。その後、メールサーバー５ａにより当該送信メールに関する配信完了通知が送信され、送信元端末２において受信されると、配信結果が表示される（ステップＳ２０２，Ｓ２０３）。
【００５０】
本実施の形態によれば、メール配信通知の配信が成功し、蓄積メールの送信が完了すると、メールサーバー５ａにより配信完了通知が送信され、送信元端末２において送信メールの配信結果が画面表示される。これにより、送信元端末２のユーザは、送信メールがメールサーバー５ａから送信先へ配信されたことをリアルタイムに認知することができる。
【図面の簡単な説明】
【００５１】
【図１】本発明の実施の形態１によるメール通信システムの概略構成の一例を示した図である。
【図２】図１のメール通信システムにおける要部詳細の一例を示したブロック図であり、送信元端末２及び送信先端末７としての携帯通信端末の機能構成が示されている。
【図３】図１のメール通信システムにおける要部詳細の一例を示したブロック図であり、送信先端末７に対してメール配信通知の送信を行うメールサーバー５の機能構成が示されている。
【図４】図２の携帯通信端末により生成される電子メールのフォーマットの一例を示した図である。
【図５】図１のメール通信システムにおけるメール配信動作の一例を示したシーケンス図であり、配信指定フラグ３３が有効化された送信メールが配信される様子が示されている。
【図６】本発明の実施の形態２によるメール通信システムの要部詳細の一例を示したブロック図であり、蓄積メールの送信に基づいて送信元端末２に対して配信完了通知を送信するメールサーバー５ａの構成が示されている。
【図７】図６のメール通信システムにおけるメール配信動作の一例を示したシーケンス図であり、配信指定フラグ３３が有効化された送信メールの配信完了時に配信完了の表示が行われる様子が示されている。
【符号の説明】
【００５２】
１  メール通信システム
２  送信元端末
３，６  基地局
４  通信ネットワーク
５，５ａ  メールサーバー
７  送信先端末
８  ロケーションサーバー
１１  無線通信部
１２  主制御部
１３  メール生成部
１４  配信指定フラグ制御部
１５  表示部
１６  操作入力部
１７  メモリ
２１  入出力インターフェース
２２  主制御部
２３  経過時間計測部
２４  配信状況監視部
２５  メール配信制御部
２６  メール配信通知生成部
２７  ヘッダ情報抽出部
２８  メール記憶部
２９  配信完了通知制御部
３０  送信メール
３１  送信先アドレス
３２  送信元アドレス
３３  配信指定フラグ
３４  メール本文
【図１】
2006135676.tif 000003
【図２】
2006135676.tif 000004
【図３】
2006135676.tif 000005
【図４】
2006135676.tif 000006
【図５】
2006135676.tif 000007
【図６】
2006135676.tif 000008
【図７】
2006135676.tif 000009